(57)【要約】【課題】光モジュールの実装密度を向上させると共に光モジュールに対し良好な挿抜操作を安価に実現すること。【解決手段】底壁２２と底壁２２上に設けられており光コネクタを収容するための光コネクタ受納孔６と底壁２２に立設する光コネクタ受納孔６の中央壁８の端面の手前に設けられた底壁２２の貫通孔３６とを有するレセプタクル２と、底壁２２の外面に当接する弾性部５０を有しており弾性部５０の弾性に抗して底壁２２に押し当てられるように底壁２２に支持されるアクチュエータ４と、貫通孔３６に収容される基端部１３と基端部１３から延びるアーム１４とアーム１４の一端に設けられたヘッド２０と基端部１３に設けられておりアクチュエータ４に当接するカム４４とを有しており基端部１３を回転の中心とし光コネクタ受納孔６の開口の手前側に回動可能な取手３と、を備える。【選択図】図２
2009075149.tif 000002
【特許請求の範囲】
【請求項１】
ホスト装置上に搭載されたケージに着脱可能に収容され、光コネクタに保持された光ファイバとの間で光信号を送受し、前記光コネクタを受納するレセプタクルと、前記ケージとの係合を解除するアクチュエータと、前記アクチュエータを操作する取手とを備える光モジュールであって、
前記レセプタクルは、前記光コネクタを受納する受納孔を構成し貫通孔を有する底壁を備え、
前記アクチュエータは、前記底壁の外面に弾性的に当接する様に前記底壁に支持されており、
前記取手は、前記貫通孔に収容され前記アクチュエータに当接するカムを備える基端部を有しており、該基端部を回転の中心とし前記光コネクタ受納孔の開口の手前側に回動可能であり、
さらに前記取手は、前記レセプタクルの中央壁前部に配置されており、
前記取手の回動動作により前記アクチュエータが弾性的に回動する、
ことを特徴とする光モジュール。
【請求項２】
前記取手は、前記中央壁の第１の箇所に当接する第１の当接部を備え、該第１の当接部と該中央壁との当接状態を解除することにより、前記回動操作が可能となる、
ことを特徴とする請求項１に記載の光モジュール。
【請求項３】
前記取手はさらに、前記第１の当接部と前記中央壁との当接状態を解除した後に、前記中央壁の第２の箇所に当接する第２の当接部を備え、該第２の当接部と該第２の箇所が当接することにより、前記取手の移動が規制される、
ことを特徴とする請求項２に記載の光モジュール。
【請求項４】
前記取手はさらに第３の当接部を備え、該第３の当接部が前記貫通孔の側壁に当接することにより、前記取手の回動動作が規制される、
ことを特徴とする請求項１〜３に記載の光モジュール。
【発明の詳細な説明】
【技術分野】
【０００１】
本発明は、光モジュールに関する。
【背景技術】
【０００２】
特許文献１に開示されている光モジュールのパッケージは、光コネクタを収容するための開口部と、この開口部の周辺に、このパッケージを挿抜するためのレバーと、このレバーに取り付けられておりパッケージを引き抜くための補助レバーとを備える。
【特許文献１】特開２００４−１２５８６０号公報
【特許文献２】特開２００７−２２６０３９号公報
【発明の開示】
【発明が解決しようとする課題】
【０００３】
しかしながらこの方式は、構造が複雑でかつ部品点数が多い。梃子、レバー、補助レバーと３つの部品と、それぞれの回転軸相互の関係が複雑であり、かつ各構成部品も複雑な形状を有しているため、部品コスト、製造コストが高くならざるを得ない。また、光モジュール全体の幅が大きくなる為、複数の光モジュールをホストシステムに取り付ける場合、レバーの取り付けに要するスペース等が必要となり、光モジュールの実装密度を向上させることは困難となる。そこで本発明の目的は、光モジュールの実装密度を向上させると共に光モジュールに対し良好な挿抜操作を実現することである。
【課題を解決するための手段】
【０００４】
本発明は、ホスト装置上に搭載されたケージに着脱可能に収容され、光コネクタに保持された光ファイバとの間で光信号を送受し、前記光コネクタを受納するレセプタクルと、前記ケージとの係合を解除するアクチュエータと、前記アクチュエータを操作する取手とを備える光モジュールであって、前記レセプタクルは、前記光コネクタを受納する受納孔を構成し貫通孔を有する底壁を備え、前記アクチュエータは、前記底壁の外面に弾性的に当接する様に前記底壁に支持されており、前記取手は、前記貫通孔に収容され前記アクチュエータに当接するカムを備える基端部を有しており、該基端部を回転の中心とし前記光コネクタ受納孔の開口の手前側に回動可能であり、さらに前記取手は、前記レセプタクルの中央壁前部に配置されており、前記取手の回動動作により前記アクチュエータが弾性的に回動する、ことを特徴とする。
【０００５】
本発明によれば、取手は、光コネクタ受納孔の側壁の端面上に配置されるので、取手を取り付けるためのスペースを光モジュール上に設ける必要が無い。取手の形状をレセプタクルの外形に模しているので、レセプタクル中央のスペースに取手を配置する事が可能となり、この光モジュール全体の幅を小さくすることができる。また取手のヘッド部が光コネクタのラッチレバーとほぼ同じ位置にある為、光モジュールが高密度でホストシステムに装着されている場合であっても、モジュール前面からこの取手を操作することに問題がなく、かつ光コネクタのラッチレバーとほぼ同じ高さに収まっているので、モジュールの全体の高さも高くする必要はない。従って、光モジュールの実装密度の向上が可能となる。また、取手は、光コネクタ受納孔の側壁の端面の手前に位置する貫通孔に収納された基端部を回転の中心として光コネクタ受納孔の開口の手前側に回動可能である。従って、光コネクタ受納孔の開口の手前側から取手の操作が可能となるので、光モジュールが比較的高密度に実装されている場合であっても、隣接する他の光モジュールから干渉されずに、光モジュールの挿抜が良好に行える。
【０００６】
本発明では、前記取手は、前記中央壁の第１の箇所に当接する第１の当接部を備え、該第１の当接部と該中央壁との当接状態を解除することにより、前記回動操作が可能となるのが好ましい。よって、このような解除操作の後に取手に対する回動操作が可能となるので、解除操作を経ずに誤って取手が回動してしまう、ということが回避できる。
【０００７】
本発明では、前記取手はさらに、前記第１の当接部と前記中央壁との当接状態を解除した後に、前記中央壁の第２の箇所に当接する第２の当接部を備え、該第２の当接部と該第２の箇所が当接することにより、前記取手の移動が規制されるのが好ましい。よって、第１の当接部と中央壁との当接状態が解除され、取手が回動可能となった状態において、さらに、この当接状態を解除する方向の取手の移動が規制される。従って、取手の過度の移動が回避できる。
【０００８】
本発明では、前記取手はさらに第３の当接部を備え、該第３の当接部が前記貫通孔の側壁に当接することにより、前記取手の回動動作が規制されるのが好ましい。よって、取手の過度の回動を回避できる。
【発明の効果】
【０００９】
本発明によれば、光モジュールの実装密度を向上させると共にアクチュエータと取手の２部品で光モジュールに対し良好な挿抜操作が安価な構成部品で実現できる。
【発明を実施するための最良の形態】
【００１０】
以下、図面を参照して、本発明に係る好適な実施形態について詳細に説明する。なお、図面の説明において、可能な場合には、同一要素には同一符号を付し、重複する説明を省略する。まず、図１を参照して、実施形態に係る光モジュール１の構成を説明する。光モジュール１は、ホスト装置上に搭載されたケージ(図３に示すケージ５８)に着脱可能に収容される光トランシーバである。光モジュール１は、発光素子及び受光素子等の光学部品、光信号の送受信を行うための増幅器等の電子部品や電子回路、及び、これらの光学部品、電子部品、電子回路を実装するための回路基板を有しており、ホスト装置との間で電気信号を送受信する。
【００１１】
光モジュール１は、レセプタクル２、取手３、アクチュエータ４及びモジュール本体５を有する。レセプタクル２は、光コネクタ２６を受納する一対の光コネクタ受納孔６を有する。ここでは代表的な光コネクタとしてＬＣコネクタを元にしているが、レセプタクル２は、ＳＣコネクタ用またはＭＵコネクタ用のレセプタクルであってもよい。光コネクタ受納孔６は、光コネクタ２６を挿抜するための開口を有しており、この開口を介して挿抜される光コネクタ２６を収容する。光コネクタ２６は、光ファイバコード３０に接続され光ファイバコード３０を保持しており、ラッチレバー２８を有する。ラッチレバー２８は、光コネクタ受納孔６に収容された光コネクタ２６を光コネクタ受納孔６内に保持する。
【００１２】
レセプタクル２は、光コネクタ受納孔６に収容された光コネクタ２６を介して光ファイバコード３０と光学的に接続される発光素子及び受光素子等の光学部品を実装する。これらの発光素子及び受光素子は、光ファイバコード３０との間で光信号を送受信する。
【００１３】
レセプタクル２は、光コネクタ受納孔６に収容中の光コネクタ２６を支持する底壁２２と、光コネクタ受納孔６の中央壁８とを有する。中央壁８は、一対の光コネクタ受納孔６の間を仕切っている。中央壁８は、底壁２２に立設している（底壁２２から垂直に延びている）。中央壁８の端部（光コネクタ受納孔６の開口側に位置する中央壁８の端部）には凸部１０が設けられている。凸部１０は、光コネクタ受納孔６の開口の手前側に突出した形状を有する。レセプタクル２は、アクチュエータ４を軸支するための軸受２４を有する。軸受２４は、アクチュエータ４の支軸５４を受ける。軸受２４は、底壁２２において、光コネクタ受納孔６の開口の設けられている側とは反対側（モジュール本体５に接続する側）の端部に設けられている。
【００１４】
ここで、図２（Ａ）及び図２（Ｂ）を参照して、レセプタクル２の構成を詳細に説明する。レセプタクル２の底壁２２には、取手３の基端部１３を収容し、取手３の位置決めを行う貫通孔３６が設けられている。貫通孔３６は、中央壁８の端面の手前（前方）に設けられている。貫通孔３６は、取手３が収納されていない場合に、アクチュエータ４の主面４８（特に、領域４８ａ）と窪み５２とをレセプタクル２の内側に露出する（図２（Ｄ）を参照）。貫通孔３６の上方（中央壁８が底壁２２から延びる向き）には、凸部１０が位置している。
【００１５】
レセプタクル２の中央壁８は、貫通孔３６の開口に対し突出した凸部３４（第１の箇所）を有する。凸部３４は、貫通孔３６に対し突出した中央壁８の下端の角部である。凸部１０は、凸部３４よりも貫通孔３６に対して突出している。
【００１６】
図１に戻って取手３の構成を説明する。取手３は、アクチュエータ４を操作してケージ５８に対する光モジュール１の挿抜を行う時に用いる把持部材であり、レセプタクル２に対し回動可能となっている。取手３は、中央壁８の端面上に配置されるようにレセプタクル２にセット（収容）される（以下、取手３が中央壁８の端面上に配置されている状態を、取手３がレセプタクル２にセット（収容）されている、と表現する場合がある）。レセプタクル２にセットされている状態の取手３は、中央壁８の端面に沿って延びている。
【００１７】
取手３は、基端部１３を回転の中心（支点）とし光コネクタ受納孔６の開口の手前側に対して回動可能となっている。取手３は、レセプタクル２にセットされている場合に中央壁８の端面に面するアーム１４を有する。中央壁８の端面に面しているアーム１４の面の幅は、中央壁８の厚み以下となっている。そして、アーム１４は、中央壁８の端面に面する側（取手３がレセプタクル２にセットされている場合に中央壁８の端面に面する側）が窪んでいる凹部１６を有する。凹部１６は、中央壁８の凸部１０に沿って窪んだ形状となっており、取手３がレセプタクル２にセットされている場合に、凸部１０に嵌合する。
【００１８】
取手３は、基端部１３及び先端部１５を有しており、基端部１３及び先端部１５は、アーム１４の両端に設けられている。アーム１４は、基端部１３に接続され基端部１３から延びている。先端部１５は、アーム１４に接続されている。基端部１３は、底壁２２の貫通孔３６（図２（Ａ）及び図２（Ｂ）を参照）にセットされている。取手３は、基端部１３を回転の中心として光コネクタ受納孔６の開口の手前側に回動される。この取手３の回動により、先端部１５は、レセプタクル２に対し離隔及び近接される。
【００１９】
取手３は、ヘッド２０を有する。ヘッド２０は、先端部１５に設けられている。底壁２２からのヘッド２０の高さは、取手３がレセプタクル２にセットされている場合に、ラッチレバー２８の高さ以下となっている。ヘッド２０は、取手３を押し込み・回動させる場合に用いられる。操作者は、ヘッド２０を指で摘んで（或いは、ヘッド２０に指をかけて）ヘッド２０を、真下に押し下げたのち光コネクタ受納孔６の開口の手前側に引き出すようにして取手３を回動させる。
【００２０】
基端部１３は光コネクタ受納孔６の一部形状を模した凹部１８を有しており、光コネクタ受納孔６に挿入される光コネクタ２６の凸部３２と嵌合する。このように取手３の凹部１８が光コネクタ２６の凸部３２に嵌合するので、光コネクタ２６が光コネクタ受納孔６内に収容されている状態では、取手３は光コネクタ２６によってロックされて回動が不可となる。光コネクタ２６が光コネクタ受納孔６から抜き出されると、このロックが解除されるので、取手３は回動可能となる。
【００２１】
ここで、図２（Ｃ）を参照して、取手３の構成を詳細に説明する。取手３の基端部１３は、凹部１８、軸部４０、凸部４２、カム４４、底部４５及び凸部４６（第１の当接部）を有する。軸部４０は、基端部１３から先端部１５に向かう向きに対し直行するように延びている。軸部４０の両端部には、それぞれ、凸部４２（第３の当接部）及びカム４４が設けられており、これら両端部を結ぶ軸の中心上にはアーム１４が延びている。凸部４２は、軸部４０の端部に設けられており、凹部１６の窪んでいる向きとは逆向きに突出している。
【００２２】
凸部４６は、取手３がレセプタクル２にセットされている場合、凸部３４に当接（接触）する。凸部４６が凸部３４に接触することにより、取手３がレセプタクル２にセットされた状態で回動してレセプタクル２に更に近接する、という取手３の動きが防止できる。取手３は、凸部４６と中央壁８（凸部３４）との当接状態を解除することにより、回動操作が可能となる。また、凸部４２は、取手３の先端部１５がレセプタクル２から離隔するように（ヘッド２０が中央壁８から離隔するように）取手３が回動されると、この回動によって側面３７の反対側にある貫通孔３６の側面３８に当接する。このように、凸部４２が側面３８（貫通孔３６の側壁）に当接することにより、取手３の回動範囲が制限され（取手３の回動動作が規制され）、この範囲を超えた取手３の回動が防止できると共に取手３を掴んで光モジュール１をケージ５８から引き抜いて、光モジュール１をゲージ５８から取り外す事が可能となる。
【００２３】
カム４４は、軸部４０の両端部を結ぶ軸の中心寄り（アーム１４の側）に設けられている。カム４４は、凸部４２の突出する向きの反対側の向きに軸部４０から突出している。カム４４は、取手３がレセプタクル２にセットされている場合に、貫通孔３６に収容され、この貫通孔３６を介してアクチュエータ４に当接する。
【００２４】
凸部４６は、基端部１３のレセプタクル２に面した箇所であって、アーム１４を挟んで形成された一対の軸部４０を結ぶ線上に設けられている。凸部４６は、凹部１６とは反対方向に突出しており、取手３がレセプタクル２にセットされている場合に、レセプタクル２の凸部３４に係止される。
【００２５】
取手３の凹部１６は、基端部１３及び先端部１５のそれぞれの側に端部を有する。これら二つの端部のうち先端部１５側の端部にある側壁１６ａ（第２の当接部）は、取手３がレセプタクル２にセットされた時（すなわち、中央壁８が凹部１６に嵌合している時）、凸部１０の端面１０ａ（第２の箇所）に面する。一連の解除動作中、最初にヘッド２０を押し下げる際に（凸部４６と中央壁８との当接状態を解除した後に）、側壁１６ａが端面１０ａに接触（当接）する事で、取手３の移動が規制され、取手３が過度に押し下げられる事が防止される。
【００２６】
図１に戻ってアクチュエータ４の構成を説明する。アクチュエータ４は、樹脂や金属等の材料を有し、レセプタクル２の底壁２２の外面に弾性的に当接する様に底壁２２に支持されている。アクチュエータ４は、底壁２２に対し回動可能であり、光モジュール１のケージ５８との係合を解除する機能を有する。アクチュエータ４は、取手３の回動動作により弾性的に回動する。
【００２７】
ここで、図２（Ｄ）を参照して、アクチュエータ４の構成を詳細に説明する。アクチュエータ４の主面４８には窪み５２が設けられている。窪み５２は、アクチュエータ４がレセプタクル２に取り付けられている場合に、貫通孔３６と重なる位置に設けられている。窪み５２は、アクチュエータ４がレセプタクル２に取り付けられている場合に、取手３の軸部４０を収容する。アクチュエータ４がレセプタクル２に取り付けられている場合であって取手３がレセプタクル２にセットされている場合、窪み５２とレセプタクル２の縁（光コネクタ受納孔６の開口側の縁）との間にある主面４８の領域４８ａにカム４４が当接する。
【００２８】
アクチュエータ４は弾性部５０を有する。弾性部５０は、アクチュエータ４に対し片持梁状に設けられている。弾性部５０の根元（アクチュエータ４の本体との接続箇所）は、窪み５２の近傍にある。
【００２９】
アクチュエータ４は、支軸５４を有しており、支軸５４は、アクチュエータ４の下面（主面４８の反対側の面）の中央付近に設けられている。アクチュエータ４は、弾性部５０がレセプタクル２の底壁２２の外面に当接した状態で支軸５４が軸受２４に軸支されることにより底壁２２に保持され、この軸受２４を中心として回動（シーソー運動）する。この場合、弾性部５０は、主面４８の上方から主面４８に向かう方向に撓む。アクチュエータ４の主面４８は、この弾性部５０の撓みに抗して底壁２２の外面に押し当てられるように底壁２２に支持される。主面４８の領域４８ａに当接したカム４４は、取手３が操作することによりその先端部１５をレセプタクル２から離隔すると、この操作により領域４８ａを押し下げ、一方、アクチュエータ４はその支軸５４が軸受２４に支持されており、その結果、取手３の操作によりアクチュエータ４の回動動作を誘起することができる。
【００３０】
アクチュエータ４は、係合突起５６を有する。係合突起５６は、光モジュール１がホスト装置のケージ５８内に収容されている場合に、このケージ５８の係合孔に係合する。この係合によって光モジュール１がケージ５８内にロックされる。
【００３１】
また、係合突起５６は、支軸５４に対して窪み５２とは反対側に設けられている。このため、窪み５２が底壁２２から離隔するようにアクチュエータ４が回動されると、係合突起５６は、窪み５２とは逆向きに、すなわち、レセプタクル２内に引き込まれる（レセプタクル２は、係合突起５６をレセプタクル２内に引き込むための開口を備えている）。このアクチュエータ４の回動によって、係合突起５６はケージ５８の係合孔から離隔するので、係合突起５６と係合孔との係合は解除される。
【００３２】
次に、図３及び図４を参照して、取手３とアクチュエータ４の動作を説明する。図３（Ａ）〜図３（Ｄ）、図４（Ａ）及び図４（Ｂ）は、図１（Ａ）に示すＩ−Ｉ線に沿ってとられた光モジュール１の断面図である。このＩ−Ｉ線に沿ってとられた光モジュール１の断面は、取手３の凸部４２を通る断面である。
【００３３】
まず、図３（Ａ）及び図４（Ａ）に示すように、取手３がレセプタクル２にセットされている場合から説明する。取手３がレセプタクル２にセットされている場合、取手３の凸部４６は、中央壁８の凸部３４に係止されている。この係止により、取手３の回動（取手３の先端部１５がレセプタクル２から離隔するような回動）が不可となっている。また、この場合、取手３のカム４４がアクチュエータ４の主面４８に当接し、アクチュエータ４がレセプタクル２の底壁２２に押し当てられているので、取手３は、カム４４を介して上方に押し上げられている。このため、取手３の凸部４６は、レセプタクル２の凸部３４に係止され、凸部１０の端面１０ａと凹部１６の側壁１６ａとの間には隙間が形成されている。
【００３４】
次に、この隙間が解消される向き（図中符号Ａ１に示す向き）に取手３が押下されると、凸部４６と凸部３４とは離隔され、凸部４６の凸部３４への係止は解除される。これにより、取手３が回動可能となる。そして、端面１０ａと側壁１６ａとが接触すると、取手３の押下はそれ以上は進行しない。このように、凹部１６と凸部１０とは、取手３の過剰な押下を防止する。
【００３５】
次に、図３（Ｂ）に示すように、図中符号Ａ２に示す向きに（すなわち、取手３の先端部１５がレセプタクル２から離隔するように）取手３が回動されることによりその先端部１５がレセプタクル２から離隔されると、カム４４は、この回動に伴い主面４８の領域４８ａを押圧し、アクチュエータ４がレセプタクル２の底壁２２から離隔する。
【００３６】
取手３の回動が続けられると、カム４４がアクチュエータ４の領域４８ａに当接し、アクチュエータ４を押下してアクチュエータ４を回動させる。このようにしてアクチュエータ４の回動が継続されると、図３（Ｃ）及び図４（Ｂ）に示すように、アクチュエータ４の係合突起５６が、ケージ５８の係合孔から外れ、係合突起５６とケージ５８の係合孔との係合が解除される。この場合、取手３の凸部４２は、底壁２２の貫通孔３６の側面３８に当接する。この凸部４２が側面３８に当接することにより、取手３の回動は停止し、取手３のそれ以上の回動は継続不可となる。この状態において、光モジュール１がケージ５８から抜き出される。操作者は、この状態において取手３を手前に引くことにより、光モジュール１をケージ５８から抜き出す。
【００３７】
また、凸部４２が側面３８に当接している場合、アーム１４は、底壁２２とほぼ平行となる。すなわち、取手３は、レセプタクル２にセットされている状態（底壁２２に対しほぼ直立している状態）から光コネクタ受納孔６の手前側に引き倒されて約９０度程度回動されると、凸部４２が側面３８に当接する。この場合、取手３は、光コネクタ受納孔６の開口の手前に突出する配置となるので、操作者は、この取手３の把持が容易となる。
【００３８】
一方、取手３をレセプタクル２にセットする場合には、アクチュエータ４の係合突起５６とケージ５８の係合孔とが係合した後、図３（Ｄ）に示すように、取手３がレセプタクル２に近接する方向（図中符号Ａ３に示す向き）に回動される。そして、取手３が押下され、取手３の凸部４６がレセプタクル２の凸部３４に係止される。これにより、光モジュール１がケージ５８に取り付けられ、取手３がレセプタクル２にセットされる。
【００３９】
以上説明したように、取手３は、光コネクタ受納孔６の中央壁８の端面上に配置されるので、取手３を取り付けるためのスペースを光モジュール１の両脇に設ける必要が無い。従って、光モジュールの実装密度の向上が可能となる。また、取手３は、光コネクタ受納孔６の中央壁８の端面の手前に位置する貫通孔３６にセットされた基端部１３を回転の中心として、光コネクタ受納孔６の開口の手前側に回動可能である。よって、光コネクタ受納孔６の開口の手前側から取手３の操作が可能となるので、光モジュール１が比較的高密度に実装されている場合であっても、隣接する他の光モジュールの干渉を受けずに、光モジュール１の挿抜が良好に行える。さらに、取手３は常にアクチュエータ４から上方への抗力を受けているので、その軸部４０が常にレセプタクル２の貫通孔３６内にセットされ、レセプタクル２から抜け落ちることはない。
【００４０】
取手３のヘッド２０は、光コネクタ２６のラッチレバー２８の高さ以下となっているので、取手３は、ラッチレバー２８の操作と同様の操作性を有する。取手３は、レセプタクル２の有する一対の光コネクタ受納孔６の間に配置されているので、操作者が光モジュール１を挿抜する場合に、光モジュール１に隣接する他の光モジュールに操作者の手や指が接触するということが無い。
【００４１】
取手３は、レセプタクル２に収容されている状態（底壁２２に対しほぼ直立している状態）から光コネクタ受納孔６の開口の手前側に引き倒されて約９０度程度回動された後、光コネクタ受納孔６の開口の手前側に突出する。このように、取手３は、把持の容易な位置まで回動できる。従って、操作者は、取手３の把持が容易となる。
【００４２】
取手３の凹部１６がレセプタクル２の凸部１０に嵌合するので、取手３は、レセプタクル２にセットされている場合に、アクチュエータ４を押し下げる方向に過度に押下されるのを回避できる。
【００４３】
取手３がレセプタクル２にセットされている場合、取手３の凸部４６がレセプタクル２の凸部３４に係止されているので、この係止が解除されなければ取手３は回動されない。よって、取手３がレセプタクル２にセットされている場合に取手３が回動されるのを回避できる。取手３の凸部４２が、取手３の回動により貫通孔３６の側面３８に当接するので、取手３の過度の回動を回避できる。
【００４４】
取手３をレセプタクル２にセットする場合、操作者は、取手３を押下して凸部４６を凸部３４に係止させるので、取手３がレセプタクル２にセットされたか否かが容易に確認できる。また取手３が完全に収容されていない場合、取手３がレセプタクル２の中央壁８の形状を模しているので、この状態では光コネクタ２６を挿入することはできない。結果として不完全な収容状態が作業者に直ちに知覚できる。取手３は、レセプタクル２にセットされている場合、押下され、凸部４６の凸部３４への係止が解除されなければ回動されないので、レセプタクル２は、取手３が押下されない限り、取手３がセットされている状態を維持できる。
【００４５】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【００４６】
例えば、本発明は、一対の光コネクタ受納孔６を有する光モジュール１に限らず、一の光コネクタ受納孔６のみを有する光モジュールに対しても適用可能である。
【図面の簡単な説明】
【００４７】
【図１】実施形態に係る光モジュールの構成を示す斜視図である。
【図２】実施形態に係る光モジュールの構成を示す分解斜視図である。
【図３】実施形態に係る光モジュールの動作を説明するための図である。
【図４】実施形態に係る光モジュールの動作を説明するための図である。
【符号の説明】
【００４８】
１…光モジュール、１０，３２，３４，４２，４６…凸部、１０ａ…端面、１３…基端部、１４…アーム、１５…先端部、１６，１８…凹部、１６ａ…側壁、２…レセプタクル、２０…ヘッド、２２，５３…底壁、２４…軸受、２６…光コネクタ、２８…ラッチレバー、３…取手、３０…光ファイバコード、３６…貫通孔、３７，３８…側面、４…アクチュエータ、４０…軸部、４４…カム，４５…底部、４８…主面、４８ａ…領域、５…モジュール本体、５０…弾性部、５２…窪み、５４…支軸、５６…係合突起、５８…ケージ、６…光コネクタ受納孔、８…中央壁
【図１】
2009075149.tif 000003
【図２】
2009075149.tif 000004
【図３】
2009075149.tif 000005
【図４】
2009075149.tif 000006